(57)【特許請求の範囲】
【請求項１】
印刷装置において複数の構成要素を選択的に配置するための機構であって、
機構を制御するためのレバーと、
第１の構成要素に前記レバーを作動的に接続する第１のリンク機構と、
第１の構成要素および第２の構成要素を前記レバーを作動させることにより同時に再配置するように第２の構成要素に前記レバーを作動的に接続する第２のリンク機構とを含み、
前記第１のリンク機構の一部と前記第２のリンク機構は一体になっており、前記第１のリンク機構は前記レバーをトナー廃棄ドアに作動的に接続し、前記第２のリンク機構は前記レバーをクリーニングブレードに作動的に接続し、
前記第１のリンク機構は、前記レバーに接続される第１のリンクと、この第１のリンクおよびトナー廃棄ドアに接続される第２のリンクを含み、
前記第２のリンク機構は、前記レバーに接続される前記第１のリンクと、この第１のリンクに接続される前記第２のリンクと、この第２のリンクおよびクリーニングブレードに接続される第３のリンクを含む、機構。
【請求項２】
印刷装置において使用するための顧客が交換可能なユニットであって、
第１の構成要素および第２の構成要素を取り付けるための本体と、
構成要素を選択的に配置するための機構であって、第１の構成要素および第２の構成要素をレバーを作動させることにより同時に再配置するように、機構を制御するための前記レバーと、第１の構成要素に前記レバーを作動的に接続する第１のリンク機構と、第２の構成要素に前記レバーを作動的に接続する第２のリンク機構とを含む機構とを含み、
前記第１のリンク機構の一部と前記第２のリンク機構は一体になっており、前記第１のリンク機構は前記レバーをトナー廃棄ドアに作動的に接続し、前記第２のリンク機構は前記レバーをクリーニングブレードに作動的に接続し、
前記第１のリンク機構は、前記レバーに接続される第１のリンクと、この第１のリンクおよびトナー廃棄ドアに接続される第２のリンクを含み、
前記第２のリンク機構は、前記レバーに接続される前記第１のリンクと、この第１のリンクに接続される前記第２のリンクと、この第２のリンクおよびクリーニングブレードに接続される第３のリンクを含む、顧客が交換可能なユニット。
【請求項３】
顧客が交換可能なユニットを含むタイプの電子写真印刷装置であって、
第１の構成要素および第２の構成要素を取り付けるための本体と、
構成要素を選択的に配置するための機構であって、第１の構成要素および第２の構成要素をレバーを作動させることにより同時に再配置するように、機構を制御するための前記レバーと、第１の構成要素に前記レバーを作動的に接続する第１のリンク機構と、第２の構成要素に前記レバーを作動的に接続する第２のリンク機構とを含む機構とを含み、  前記第１のリンク機構の一部と前記第２のリンク機構は一体になっており、前記第１のリンク機構は前記レバーをトナー廃棄ドアに作動的に接続し、前記第２のリンク機構は前記レバーをクリーニングブレードに作動的に接続し、
前記第１のリンク機構は、前記レバーに接続される第１のリンクと、この第１のリンクおよびトナー廃棄ドアに接続される第２のリンクを含み、
前記第２のリンク機構は、前記レバーに接続される前記第１のリンクと、この第１のリンクに接続される前記第２のリンクと、この第２のリンクおよびクリーニングブレードに接続される第３のリンクを含む、電子写真印刷装置。
【発明の詳細な説明】
【０００１】
【発明の属する技術分野】
本発明は、一般に顧客が交換可能な印刷装置用ユニット（ＣＲＵ）に関し、特に、電子写真印刷装置用の電子写真モジュールに関する。
【０００２】
【従来の技術】
米国特許第４，１７４，１７２号は、表面を清掃するための方法および装置を開示している。表面は、クリーニングブレードと係合してクリーニングブレードに対して一方の方向に動かされる。相対的な運動がない休止期間が設けられ、ブレードは、相対的な運動がない期間の第１の位置において表面と接触しないように移動される。
【０００３】
米国特許第４，８６６，４８３号は、クリーニング素子を有する印刷エンジンにおいて使用するための改良されたクリーニングステーションを開示している。印刷エンジンが開かれたときにクリーニングステーションが直接にアクセス可能であるように、感光体ベルトクリーニングステーションは印刷エンジンの前面に配置され、感光体媒体は印刷エンジンの他のフレームに配置される。
【０００４】
米国特許第４，８９１，６７６号は、クリーニング素子を有する印刷エンジンにおいて使用するための改良されたクリーニングステーションを開示している。転写媒体クリーニングステーションは、クリーニング素子で転写媒体を擦ることなく、クリーニングステーションを印刷エンジンに挿入して、そこから取り外すことができるようにする鎖錠機構を備えている。
【０００５】
米国特許第５，２０８，６３９号は、個々のブレードが最適の位置に選択的に向けられる多重タレット型のブレードホルダを含む残留トナーを清掃するように位置決めされた装置を開示している。
【０００６】
米国特許第５，２３７，３７７号は、感光性のドラムと弾性接触するようにされたクリーニングブラシを含む乾式印刷装置用のクリーニング装置を開示している。回転方向切換機構は、ブラシの回転を切り換える。
【０００７】
米国特許第５，３８６，２８２号は、画像形成表面からクリーニングブレードを後退させ且つ係合させて、コピーが再印刷されることを防止するための装置を開示している。二つのモメンタリスイッチの少なくとも一つは、モーターを備えられたカム上の少なくとも二つの裂片の一つによって押下される。
【０００８】
米国特許第５，３９６，３２０号は、光導電性基体の表面から残留粒子を取り外すためのクリーニングブレードを有する静電プリンタを開示している。この機構は、ブレードが基板上の継ぎ目を擦るのを避けるために、クリーニングブレードを基板から自動的に後退させる。
【０００９】
米国特許第５，４４２，４２２号は、プリンタの画像形成表面を清掃するための装置を開示している。汚染シールは、ブレード縁からの、および、ブラシニップ内の全ての蓄積されたトナーを重力により捕捉する。
【００１０】
【課題を解決するための手段】
本発明の一つの局面によれば、印刷装置において複数の構成要素を選択的に配置するための機構が提供される。この機構は、機構を制御するためのレバーと、第１の構成要素にレバーを作動的に接続する第１のリンク機構と、第１の構成要素および第２の構成要素をレバーを作動させることにより同時に再配置するように第２の構成要素にレバーを作動的に接続する第２のリンク機構とを含む。
【００１１】
本発明の別の局面によれば、印刷装置において使用するための顧客が交換可能なユニットが提供される。顧客が交換可能なユニットは、第１の構成要素および第２の構成要素を取り付けるための本体を含む。顧客が交換可能なユニットは、構成要素を選択的に配置するための機構を更に含む。この機構は、第１の構成要素および第２の構成要素をレバーを作動させることにより同時に再配置するように、機構を制御するためのレバーと、第１の構成要素にレバーを作動的に接続する第１のリンク機構と、第２の構成要素にレバーを作動的に接続する第２のリンク機構とを含む。
【００１２】
本発明の更に別の局面によれば、顧客が交換可能なユニットを含むタイプの電子写真印刷装置が提供される。顧客が交換可能なユニットは、第１の構成要素および第２の構成要素を取り付けるための本体を含む。顧客が交換可能なユニットは、構成要素を選択的に配置するための機構を更に含む。この機構は、第１の構成要素および第２の構成要素をレバーを作動させることにより同時に再配置するように、機構を制御するためのレバーと、第１の構成要素にレバーを作動的に接続する第１のリンク機構と、第２の構成要素にレバーを作動的に接続する第２のリンク機構とを含む。
【００１３】
【発明の実施の形態】
図５は、その内部に本発明の特徴を組み込んだ電子写真印刷装置を概略的に示す。
【００１４】
次に、図６を参照すると、電子写真ＣＲＵ１２４の斜視図が示される。電子写真ＣＲＵモジュールは、感光体モジュールと電子写真サブシステムインターフェースに関連して電子写真サブシステムを取り付けて位置決めする。電子写真ＣＲＵの中に含まれる構成要素は、転写／剥離コロナ発生装置、転写前用紙バッフル、感光体クリーナ、帯電スコロトロン、消去ランプ、感光体（感光体）ベルト、雑音（ｎｏｉｓｅ）・オゾン（ｏｚｏｎｅ）・熱（ｈｅａｔ）・（ａｎｄ）汚れ（ｄｉｒｔ）（ＮＯＨＡＤ）処理マニホールドおよびフィルタ、廃棄物ボトル、引出しコネクタ、ＣＲＵＭ、自動クリーナブレード係合／後退、および、自動の廃棄物ドア開／閉装置を含む。
【００１５】
電子写真ＣＲＵ構成要素の概要と各々の機能は次の通りである。
【００１６】
クリーナ（ドクターブレードおよび攪乱ブラシ）：感光体から未転写トナーを取り外す；貯蔵のための廃棄物ボトルへ廃棄トナーおよび他の残滓を搬送する；感光体ベルト上で用紙タルクの堆積、フィルミング、およびコメットを制御することを補助する。
【００１７】
予備帯電消去ランプ：表面上の静電界を消去するために感光体の前面照射を提供する。
【００１８】
帯電ピンスコロトロン：画像形成の準備中の感光体ベルトに均一な電荷レベルを提供する。
【００１９】
感光体ベルト：電荷担持表面は、表面上の静電界を変換する各種の電子写真処理ステーションを通してベルトの潜像部分を連続的に進める。
【００２０】
転写前用紙バッフル：用紙と感光体表面との接触点を方向付けして制御する。転写領域においてシートを平らにするために、用紙に「Ｓ」字状の曲がりを作り出す。
【００２１】
転写ワイヤコロトロン：コロトロンの下を通過するときに用紙に電荷を与える。用紙上の高い正電荷が、負に帯電したトナーを感光体から用紙に転写させる。
【００２２】
剥離ピンコロトロン：用紙のシートを感光体上に保持することができる静電界を中和することにより、感光体から画像を備えた用紙を取り外すことを補助する。シート自体は、それがベルトモジュールの剥離ロールを通過するのに従って剥離する。
【００２３】
ＮＯＨＡＤ塵埃マニホールドおよびフィルタ：空気により運搬されるトナー塵埃および汚染物をＮＯＨＡＤ塵埃マニホールド・フィルタがＣＲＵから離れる前に、移動する空気から取り外す。
捕捉されたトナーおよび汚染物は、電子写真ＣＲＵに含まれる塵埃フィルタで沈殿させられる。
【００２４】
引出し電気コネクタ：ＣＲＵＭにコネクタインターフェースを提供する；マシン制御に入力／出力を提供する。
【００２５】
ＣＲＵＭチップ：マシンが、ＣＲＵあるいは他のものについての再指令メッセージ（ユーザインターフェースからの、あるいは自動的な）を送ることを可能にする；顧客によって購入されたコピーの枚数を監視し、予定より早いＣＲＵの障害についてＣＲＵを保証する；互換性があるマシンにＣＲＵが正しく設置されることを確実にするためのマシンとのハンドシェーク機能を提供する；適切なＣＲＵキルポイントでマシンをシャットダウンさせる；市場派生を可能にする；再製造のためのＣＲＵライフサイクル計画を可能にする；遠隔診断を可能にする；ＲＯＳのための安全インターロックを提供する。
【００２６】
ＲＯＳおよび現像機インターフェース：画像形成用のトナーを現像機ドナーロールから感光体ベルトの表面の潜像に転写することを可能にする現像機インターフェース窓を提供する；同様に、感光体モジュールにＲＯＳを結び付ける重要なパラメータの設定および位置リンクを提供して、適切な画像形成を確実にし、運動品質問題を除去する。
【００２７】
ＢＴＡＣセンサインターフェース：プロセス制御を監視するためのインターフェース窓を提供する。
【００２８】
レジストレーション搬送インターフェース：機外の重要なパラメータ位置および取り付け機能を提供する。
【００２９】
定着器前搬送インターフェース：重要なパラメータ位置および取り付け機能を提供する。
【００３０】
ＣＲＵサブシステムは、電子写真ハウジング内に含まれる。ハウジングは、正面端部キャップ１２３、右側面ハウジング１２２、および、左側面ハウジング１２１を含む三つの主な構成要素から成る。電子写真ハウジングは、機械的且つ電気的に電気的に繋がっている。それは、感光体モジュールおよび他の電子写真サブシステムインターフェースに関連して、ＣＲＵの内部および外部に対してサブシステムを取り付けて位置決めすることにより重要なパラメータを確立する。ハウジングは、損傷や困難なしに、電子写真システムの容易で信頼性が高い取り付けおよび取り外しを可能にする。
【００３１】
正面端部キャップは、ＣＲＵの機外の端部で左側面ハウジングと右側面ハウジングを一緒に結合する。また、正面端部キャップは、機械的な重要なパラメータを達成するために、感光体モジュール、ＲＯＳ、および、レジストレーション搬送装置を互いに関連させて、マシンの機外に取り付けて位置決めする特徴を備えた機械的なリンクとしても機能する。また、端部キャップは、感光体モジュールハンドルが回転されたときに、ＣＲＵの設置および取り外しの期間中に、顧客がクリーナ廃棄物ドアとブレードを同時に係合させ、また、係合解除させることができる、スプリングにより付勢されたスライド、廃棄物ドアピボット、および、ブレードピボットリンクも取り付ける。マシンから取り外された時、ブレードピボットリンクは、ＣＲＵの設置および取り外しの期間中の感光体ベルトおよびブレードの損傷を防止するためにクリーナブレードが後退したままで保持されることを確実にする。廃棄物ドアピボットリンクは、ＣＲＵが取り除かれたときに、クリーナ廃棄物ボトルドアが閉じられることを確実にして、輸送する間のトナーの漏れを防止する。また、端部キャップは、左側面ハウジング現像機マニホールドを右側面ハウジングのＮＯＨＡＤ塵埃フィルタと繋ぐ塵埃マニホールドも取り付ける。マニホールドは、空気で運ばれるトナーおよび他の汚染物を空気流により塵埃フィルタに搬送する。
【００３２】
右側面ハウジングは、多数の電子写真サブシステムおよびインターフェースをＣＲＵの内部および外部に取り付けて位置決めする。右側面ハウジングは、転写および剥離アセンブリ、帯電スコロトロン、感光体ベルト、および、引出しコネクタの半分を取り付ける。これらの構成要素は、ＣＲＵハウジング中で浮遊することができる。ＣＲＵハウジングが完全に設置され、感光体モジュールハンドルがテンションロールに係合するとき、感光体モジュールおよび機枠に対する重要なパラメータ位置が達成される。帯電スコロトロンおよび転写／剥離サブシステムの両方は、感光体モジュール上に位置決めされるスプリング付勢手段によって位置決めされる。
【００３３】
また、右側面ハウジングは、モールドされたスコロトロン保持機能を含んでおり、ＣＲＵがマシンから取り外されるときに、帯電スコロトロンサブシステムをハウジングに後退する帯電スプリングを取り付けて位置決めする。このスプリングは、帯電スコロトロンへの損傷なしにＣＲＵの設置および取り外しを成功裏に可能にする。
【００３４】
右側面ハウジングは、ユニットの性能に影響を与える汚染（すなわち、定位置画像欠如（ｐａｒｋｉｎｇ  ｄｅｌｅｔｉｏｎ）の原因である窒素酸化物）を除去するために、汚染されていない空気を帯電装置の上に流すことができるように、帯電スコロトロン取り付け領域内にモールドされたポートを有する。
【００３５】
右側面ハウジングは、特徴は、転写／剥離位置におけるモールドされた孔を特徴とする。また孔は、どのような窒素酸化物汚染も防止するために、転写および剥離装置の上を十分な空気が流れることができるようにする。
【００３６】
ハウジングは、クリーナアセンブリ、予備帯電消去ランプ、廃棄物ボトル、ＮＯＨＡＤ空気ダクトおよびフィルタを取り付けて位置決めするモールドされた特別な特徴を有する。右側ハウジングは、クリーナブレードのインターフェースおよび廃棄物ドアピボット特徴を取り付けて位置決めする。空気で運ばれる汚染物およびトナーを捕捉するのに十分な空気流を可能とするために、ハウジングは、ＮＯＨＡＤ空気ダクトおよびフィルタをブロウワーに位置決めする。
【００３７】
感光体ベルト１０は、右ハウジングの機内領域および機外領域の上に位置決めされたモールドされたフィンガーによって部分的に保持される。他の保持しているベルトフィンガーは、転写剥離ハウジングおよび左側面ハウジングの上に位置決めされる。ハウジングは、ベルト損傷を防止するために、感光体モジュール１２６上にベルトを配置する下側機外端部にモールドされた特徴を有する。
【００３８】
左側面ハウジングは、感光体ベルトのための保護カバーとして機能し、ＣＲＵを囲む種々のサブシステムと共にインターフェース窓を提供する。インターフェース窓は、ＢＴＡＣ、現像機、および、ＲＯＳを含む。またハウジングは、転写剥離サブシステムの半分を同様に取り付ける。またそれは、用紙の入口にレジストレーション搬送装置を備えたインターフェース窓を同様に提供する。現像機塵埃マニホールドは、左側面ハウジングに同様に取り付けられて位置決めされる。ベルト保持フィンガーの二つおよび下側機外端部のモールドされた特徴は、設置および取り外しの期間中に感光体ベルトを保持して配置する。左側面ハウジングは、顧客がＲＯＳビームに曝されるのを防止するために、機外端部にＲＯＳを覆うモールドされたバッフルを有する。
【００３９】
一体化されたＣＲＵハウジングは、ユニットがマシンに設置されるときに、レジストレーション搬送装置および前置定着器を所定位置に収容する。ＣＲＵハウジングは、２２個の重要な機械的且つ電気的なインターフェースを殆ど同時に構成する。全てのハウジングは、製造の期間中にユニットを一緒に固定することを可能にする二重ボスを有している。両方のボスが時間の経過により磨耗することがある場合には、十分に深いボスにより部品を固定するために一層長いねじを使用することができる。
【００４０】
本発明によれば、また、図１を参照すると、電子写真ＣＲＵ１２４が示されている。電子写真ＣＲＵ１２４は、感光体モジュール１２６を囲んでいる。ＣＲＵ１２４は、図１に示される図に対して垂直な矢印１３０の方向の移動により、印刷装置に設置されまた取り除かれる。クリーニングブレード１３２は、好ましくは、感光体モジュール１２６の感光体ベルト１０から廃棄トナー１３４を取り除くために使用される。ＣＲＵ１２４は、矢印１３０の方向にＣＲＵ１２４を外向きに移動させることによって、感光体モジュール１２６から取り除かれるので、クリーナブレード１３２は、感光体１０に擦り傷を付けたり損傷させる傾向がある。このように、図１に示されるように、クリーナブレード１３２は、感光体１０から分離されて、図１に示されるように、後退した位置に配置される。
【００４１】
廃棄トナー１３４は、クリーナブレード１３２から廃棄トナーボトル１４０に収集される。廃棄トナーボトル１４０は、理解できるように、感光体１３６のクリーニングの期間中は開位置になければならないボトルドア１４２を含む。好ましくは、廃棄トナーボトル１４０は、ＣＲＵの輸送中に廃棄トナー１３４がボトルドアを過ぎて移動することを防止するために、閉位置にあるボトルドア１４２を使用する。ボトルドア１４２およびクリーナブレード１３２は、印刷装置からのＣＲＵ１２４の移動の前に、第１の位置から第２の位置まで両方共移動されなければならないことを理解すべきである。多機能ＣＲＵラッチング機構１５０は、ＣＲＵ１２４の設置および取り外しを簡単にし、且つ、補助するために本発明に従って利用される。
【００４２】
図示され、以下に説明されるように、多機能ＣＲＵラッチング機構１５０は、ボトルドア１４２とクリーナブレード１３２を同時に開き、また、閉じるために利用されるが、ＣＲＵの組み立ておよび分解を容易にするために、ＣＲＵの中の任意の数の構成要素を同時に移動させるために利用される場合があることが理解されるべきである。同様に、多機能ＣＲＵラッチング機構１５０は、印刷装置から取り外されることがある他の構成要素、たとえば、アクセスパネルあるいは用紙トレイの取り外しにも等しく適用することができることは認識されるべきである。
【００４３】
多機能ＣＲＵラッチング機構１５０は、たとえば、ラッチングハンドル１５２の形をとるアクチュエータを含む。ラッチハンドル１５２は、ＣＲＵ１２４に取り付けることができ、あるいは、図１〜図４に示されるように、ラッチハンドル１５２は、印刷装置に固定されて、ＣＲＵ１２４が取り外されたときも印刷装置の中に残るようにすることができる。ラッチハンドルを囲む開口１５３は、ラッチを外された位置でＣＲＵ１２４の移動を可能にする一方、ラッチが掛けられたハンドル１５２がマシンの中に残ったままにすることを可能にする。クリーナブレード１３２およびボトルドア１４２は、好ましくはＣＲＵのハウジング１５４に固定される。ハウジング１５４は、任意の適当な耐久性がある材料で製造することができるが、好ましくは、低コストで容易にリサイクルできるプラスチックから製造する。たとえば、ハウジング１５４は、ポリスチレンから製造することができる。
【００４４】
様々なリンク機構がボトルドア１４２とクリーニングブレード１３２を同時に動かすために利用される場合があることが理解されるべきであるが、出願人は、図１〜図４に示されるように、特定のリンク機構が、ＣＲＵ１２４に適していることを発見した。
【００４５】
ここで図２を参照すると、ＣＲＵ１２４は、感光体１３６と接触しているクリーナブレード１３２と、開位置にあるボトルドア１４２と一緒に示されている。図２に示されるように、ＣＲＵ１２４は、クリーニングブレードが廃棄トナー１３４を取り除くことができ、廃棄トナー１３４がボトルドア１４２を通って廃棄トナーボトル１４０まで通過することができる動作モードにある。この位置においてラッチングハンドル１５２は、第２の上向き位置にあることが分かる。ＣＲＵ１２４の開口１５３は、もはやラッチングハンドル１５２と整列していないので、ＣＲＵは、動作モードにあるときは、印刷装置から取り外すことができない。
【００４６】
ここで図３を参照すると、多機能ＣＲＵラッチング機構１５０は、更に詳細に示される。図３のＣＲＵは、図１に対応するアンロックの、すなわち、輸送位置で示される。機構１５０は、ラッチハンドル１５２によって操作される。図３から容易に判るように、ラッチハンドル１５２は、機構１５０の残りの部分から間隔が置かれており、接触していない。このように、この位置においては、ボトルドア１４２は閉じられ、クリーナブレード１３２は、感光体１３６から後退する（図１参照）。
【００４７】
図３を再び参照すると、機構１５０は、四つの基本的な構成要素、すなわち、好ましくは一緒に一体的にモールドされたカム１５６を含むハンドル１５２、図３に示されるようにラッチが外れた位置ではハンドルと接触しない従動リンク１６０、従動リンク１６０に嵌合固定されたドアリンク１６２、および、ドアリンク１６２に作動的に連結されたクリーナブレードリンク１６４を含む。ラッチング機構１５０の基本的な構成要素であるハンドル１５２、従動リンク１６０、ドアリンク１６２、およびクリーナブレードリンク１６４は、任意の適当な耐久性がある材料で製造することができる。たとえば、これらの構成要素は、金属あるいは耐久性があるプラスチックで製造することができる。たとえば、従動リンク１６０は板金から製造することができる一方、ハンドル１５２とリンク１６２および１６４は、好ましくは、高強度プラスチック、たとえば、ガラス充填ポリカーボネートでモールド成形される。ボトルドア１４２（図１参照）は、好ましくは、ドア１４２の外側端部から伸延するジャーナルあるいはステム１６６を含む。ジャーナル１６６は、特徴、たとえば、ドアリンク１６２の駆動スロット１７０に合致する駆動平坦部を含む。このように、ドアリンク１６２は中心線１７２の回りを回転するので、ボトルドア１４２は同じ方向に同様に回転する。好ましくは、装置１７３、たとえば、ねじりスプリングは、ストッパ１７６に対抗して矢印１７４の方向にドアリンク１６２を偏倚するために使用される。
【００４８】
クリーニングブレードリンク１６２は、中心線１８０の回りを枢軸旋回し、回転１８２の方向にコイルスプリング１８４によって押し付けられる。クリーニングブレードリンク１６２は、リンク１６４の表面１８６とドアリンク１６２の表面１９０との間の接触によって拘束される。図３に示されるようなラッチング機構１５０の位置において、クリーナブレード１３２は、クリーニングブレードリンク１６４の平坦部１９４と合致するクリーニングブレードの平坦部１９２によってクリーニングブレードリンク１６２と回転可能に取り付けられる。
【００４９】
ここで図４を参照すると、ＣＲＵ１２４は、鎖錠された位置の多機能ＣＲＵラッチング機構１５０と共に示される。機構１５０は、矢印１５５の方向にハンドル１５２を回転させることによって、鎖錠される。ハウジング１５４のストッパ（図示せず）は、矢印１５５の方向のハンドル１５２の運動を制限するために使用することができる。ハンドル１５２が回転するに従って、カム１５６は、従動リンク１６０のフォロア２０２で所定位置に回転される。従動リンク１６０は、ドアリンク１６２にピン２０４によって回転可能に固定される。従動リンク１６２は、ハウジング１５４に固定的に取り付けられた従動ピン２０６によって更に拘束される。従動リンク１６２は、スロット２１０に沿って従動ピン２０６に対して移動することができる。従動ピン２０６は、このようにしてほぼ矢印２１２の方向に移動する。従動リンク１６０は矢印２１４の方向で回転するので、従動リンク１６０の回転は、矢印２１４の方向にドアリンク１６２を作用させて回転させ、ドアリンク１６２の表面１９０は、クリーナブレードリンク１６４の表面１８６に接触し（図３参照）、クリーナリンク１６４を矢印２１６の方向に回転させる。リンク１６４が矢印２１６の方向に回転するので、クリーナブレード１３２（図１参照）は、感光体１０との接触点に矢印２１６の方向に回転する。
【００５０】
本発明は、図１〜図４のラッチング機構１５０で示されるようなものとは実質的に異なった多機能ラッチング機構で実施することができることが理解されるべきである。たとえば、リンク機構は、任意の機械的な並進および回転装置に加えて、カムあるいはギアあるいはベルトあるいはプーリあるいはその様な機構の組み合わせから全体を作ることができる。
【００５１】
【発明の効果】
印刷装置のための多機能ラッチングマシンを提供することによって、単一のラッチング動作で多機能に対応することができる。
【００５２】
本発明に従って多機能ラッチング機構を提供することによって、ＣＲＵの一層単純で一層トラブルが少ない装置が提供できる。
【００５３】
コピーマシンの取り外し可能部分上に多機能ラッチング機構を提供することによって、機構の取り外しが容易になり単純化される。
【００５４】
多機能ＣＲＵラッチング機構を提供することによって、印刷装置の内部構成要素への損傷は、損傷を引き起こすかもしれない構成要素の間での接触を自動的に避けることによって、最小にすることができる。
【図面の簡単な説明】
【図１】  ラッチが外された位置における本発明のラッチを示す図５の印刷装置において使用するための顧客が交換可能なユニットの部分的に断面とされた立面図である。
【図２】  ラッチが掛けられた位置における本発明のラッチを示す図５の印刷装置において使用するための顧客が交換可能なユニットの部分的に断面とされた立面図である。
【図３】  リンク機構を詳細に示し、且つ、ラッチが外された状態のラッチを示す図５の印刷装置において使用するための顧客が交換可能なユニットの部分的に断面とされた立面図である。
【図４】  リンク機構を詳細に示し、且つ、ラッチが掛けられた状態のラッチを示す図５の印刷装置において使用するための顧客が交換可能なユニットの部分的に断面とされた立面図である。
【図５】  本発明の顧客が交換可能な多機能のユニットラッチを利用する典型的な電子写真印刷装置の概略立面図である。
【図６】  図１の印刷装置において使用するための顧客が交換可能なユニットの斜視図である。
【符号の説明】
１０  感光体ベルト、１２１  左側面ハウジング、１２２  右側面ハウジング、１２３  正面端部キャップ、１２４  電子写真ＣＲＵ、１２６  感光体モジュール、１３０  矢印、１３２  クリーニングブレード、１３４  廃棄トナー、１３６  感光体、１４０  廃棄トナーボトル、１４２  ボトルドア、１５０  多機能ＣＲＵラッチング機構、１５２  ラッチングハンドル（レバー）、１５３  開口、１５４  ハウジング、１５６  カム、１６０  従動リンク、１６２  ドアリンク、１６４  クリーナブレードリンク、１６６  ジャーナルあるいはステム、１７０  駆動スロット、１７３  装置、１７４  矢印、１７６  ストッパ、１８０中心線、１８２  回転、１８４  コイルスプリング、１８６  表面、１９０  表面、１９２  平坦部、１９４  平坦部、２０２  フォロア、２０４  ピン、２０６  従動ピン、２１０  スロット、２１２，２１４，２１６  矢印
【図１】
0004005693.tif 000002
【図２】
0004005693.tif 000003
【図３】
0004005693.tif 000004
【図４】
0004005693.tif 000005
【図５】
0004005693.tif 000006
【図６】
0004005693.tif 000007